(57)【要約】【課題】  薄型化・小型化を図ることができ、その組み立てが簡単に行えるスライド式電子部品を提供すること。【解決手段】  摺動型物２０と、摺動型物２０をスライド自在に収納するケース１０と、ケース１０の上に設置され、摺動型物２０と一体にスライド移動する操作つまみ３０とを備えたスライド式スイッチ１である。操作つまみ３０の両側にケース１０を跨ぐように側壁部３１，３１を設ける。一方ケース１０の両側壁１１，１１から摺動型物２０の両側部２２，２２を露出し、操作つまみ３０の両側壁部３１，３１の係合部３３に摺動型物２０の両側部２２，２２の突起部２３をスナップイン係合によって固定することで操作つまみ３０を摺動型物２０と一体化する。【選択図】図５
2005190707.tif 000002
【特許請求の範囲】
【請求項１】
摺動型物と、前記摺動型物をスライド自在に収納するケースと、ケースの上に設置され前記摺動型物と一体にスライド移動する操作つまみとを備えたスライド式電子部品において、
前記操作つまみの両側に前記ケースを跨ぐように側壁部を設け、
一方、前記ケースの側壁から前記摺動型物の側部を露出し、
前記操作つまみの側壁部を前記摺動型物の側部に固定することで操作つまみを摺動型物に一体に固定したことを特徴とするスライド式電子部品。
【請求項２】
請求項１に記載のスライド式電子部品において、
前記摺動型物の側部には突起部を設け、
前記操作つまみの側壁部には前記突起部が係合する穴又は溝からなる係合部を設け、
前記ケースの側壁に設けた切欠部から突出する前記突起部を、前記係合部にスナップイン係合することで、操作つまみを摺動型物に一体に固定することを特徴とするスライド式電子部品。
【発明の詳細な説明】
【技術分野】
【０００１】
本発明は、スライド式スイッチ等のスライド式電子部品に関するものである。
【背景技術】
【０００２】
従来、スライド式電子部品として、特許文献１に記載のスライド式電子部品（スライド型可変抵抗器）がある。このスライド式電子部品は、ケース内に摺動型物がスライド自在に収納され、該摺動型物の下面に取り付けた摺動子が、摺動型物の下側に設置した基板に設けた抵抗体パターン上を摺動することで、抵抗体パターン間の抵抗値が変化するものである。ところで、特許文献１に記載のスライド式電子部品は、摺動型物と、該摺動型物を操作する操作つまみとを同一の部材で一体に形成したもので、摺動型物の上部から操作つまみである突起部を突出させた構造である。
【０００３】
しかしながら、摺動型物の材質は、これに摺動子を熱カシメして取り付けたり、クリック機構用の弾接アーム部を設ける等のため、熱カシメし易い材質や繰り返し変形に対して十分な弾性を維持できる材質に限定されてしまう。このため摺動型物と一体の上記操作つまみの部分の材質も、上記材質に限定されてしまうことになるが、この材質が必ずしも装飾に好ましい材質とは言えず、このため操作つまみに所望の装飾をすることができなかった。
【０００４】
一方上記操作つまみと一体の摺動型物を有するスライド式電子部品においては、その組み立て時に摺動型物をケース内に収納する際に、操作つまみの部分をケース上面の穴からその上方に突出させることとなるので、操作つまみをケースの穴よりも大きくすることはできず、このためケースの穴及びその周囲の部分を操作つまみによって隠すことができず、その見栄えが悪くなってしまうという不都合もあった。
【０００５】
上記問題点を解決するには、図１に示すスライド式電子部品１００のように、摺動型物１２０と操作つまみ１３０とを別部品とすればよい。即ちこのスライド式電子部品１００は、ケース１１０内にスライド自在に摺動型物１２０を収納し、さらにケース１１０の下側にフレキシブル基板１４０と取付板１５０とを設置すると共に、ケース１１０の上側に操作つまみ１３０を設置してこの操作つまみ１３０と摺動型物１２０間を一体に固定して構成されている。ここで摺動型物１２０と操作つまみ１３０間の固定は、摺動型物１２０の上面から突出させた突起部１２１を、ケース１１０の上面に設けた開口部１１１を介して、操作つまみ１３０の下面に設けた穴からなる係合部１３１に差し込むことで行われる。なお、１２５は摺動型物１２０の下面に取り付けた摺動子で、フレキシブル基板１４０上に設けたスイッチパターン１４１上を摺接する。またこのスライド式電子部品１００には、摺動型物１２０がスライド移動することでクリック感覚を生じるクリック機構部１６０が設けられている。このクリック機構部１６０は、ケース１１０の上面にケース１１０を構成する金属板の一部を切り欠いて形成されるクリックバネ部１１２を設け、摺動型物１２０の上面に設けた凹状のクリック係合部１２２に前記クリックバネ部１１２を係合させることで構成されている。
【０００６】
このスライド式電子部品１００のように、摺動型物１２０と操作つまみ１３０とを別部品とすれば、操作つまみ１３０の材質が摺動型物１２０の材質に制限されず、装飾に好適な材質のものを自由に選択でき、従って操作つまみ１３０に所望の装飾を施すことができる。また操作つまみ１３０によってケース１１０の開口部１１１及びその周辺部分を覆い隠すことができるので、たとえこの操作つまみ１３０を直接外装ケース表面に露出するように設置するような場合でもその見栄えは良くなる。
【０００７】
しかしながら、このスライド式電子部品１００においては、摺動型物１２０と操作つまみ１３０間の固定構造が、操作つまみ１３０の係合部１３１に摺動型物１２０の突起部１２１を差し込む構造であり、しかも突起部１２１の係合部１３１への挿入深さをある程度深くしなければ両者はしっかりと固定されないので、その分、操作つまみ１３０の高さ寸法が高くなってしまい、スライド式電子部品１００全体の高さ寸法の薄型化が図れないという問題があった。
【０００８】
またたとえ前記係合部１３１と突起部１２１の係合長さを長くしたとしても、摺動型物１２０の突起部１２１は操作つまみ１３０の係合部１３１に差し込まれているだけなので、操作つまみ１３０を強い力で上方向に引っ張ると、操作つまみ１３０が摺動型物１２０から外れてしまう恐れもあった。この恐れを防止するには、突起部１２１と係合部１３１間をスナップイン係合構造とすれば良い。しかしながらそうすると、さらに両者の係合構造が複雑になり、操作つまみ１３０の高さ寸法が高くなってしまう。
【０００９】
また前述のようにこのスライド式電子部品１００にはクリック機構部１６０を設けているが、摺動型物１２０の上面には突起部１２１が設けられているので、クリック機構部１６０はこの突起部１２１を避けてその周囲の位置に設置しなければならない。すると、摺動型物１２０の上面に、突起部１２１とクリック機構部１６０とを並べて設けることになるため、その分だけスライド式電子部品１００の幅寸法（摺動型物１２０のスライド方向に垂直な水平方向の寸法）が大きくなってしまい、スライド式電子部品１００の幅寸法の小型化が図れないという不都合も生じていた。
【特許文献１】特開２０００−１９５７０９号公報
【発明の開示】
【発明が解決しようとする課題】
【００１０】
本発明は上述の点に鑑みてなされたものでありその目的は、厚みの薄型化と幅寸法の小型化とを図ることができ、またその組み立てが簡単に行え、操作つまみが外れることもないスライド式電子部品を提供することにある。
【課題を解決するための手段】
【００１１】
本願請求項１に記載の発明は、摺動型物と、前記摺動型物をスライド自在に収納するケースと、ケースの上に設置され前記摺動型物と一体にスライド移動する操作つまみとを備えたスライド式電子部品において、前記操作つまみの両側に前記ケースを跨ぐように側壁部を設け、一方、前記ケースの側壁から前記摺動型物の側部を露出し、前記操作つまみの側壁部を前記摺動型物の側部に固定することで操作つまみを摺動型物に一体に固定したことを特徴とするスライド式電子部品にある。
【００１２】
本願請求項２に記載の発明は、請求項１に記載のスライド式電子部品において、前記摺動型物の側部には突起部を設け、前記操作つまみの側壁部には前記突起部が係合する穴又は溝からなる係合部を設け、前記ケースの側壁に設けた切欠部から突出する前記突起部を、前記係合部にスナップイン係合することで、操作つまみを摺動型物に一体に固定することを特徴とするスライド式電子部品にある。
【発明の効果】
【００１３】
本願請求項１に記載の発明によれば、操作つまみの側壁部を摺動型物の側部に固定することで操作つまみを摺動型物に固定したので、摺動型物と操作つまみとの固定部分がスライド式電子部品の両側面の部分になり、従ってスライド式電子部品の厚みの薄型化を図ることができる。また、スライド式電子部品の側面の位置で操作つまみを固定したので、摺動型物の上面にて操作つまみを固定する必要がなくなり、たとえ摺動型物の上面にクリック機構等の他の機構を設ける場合でも、スライド式電子部品の幅寸法の小型化を図ることができる。
【００１４】
本願請求項２に記載の発明によれば、操作つまみと摺動型物間をスナップイン係合によって一体化したので、その組み立てが容易で、且つ両者間の固定が確実に行える。
【発明を実施するための最良の形態】
【００１５】
以下、本発明の実施形態を図面に基づいて詳細に説明する。
図２及び図３は本発明にかかるスライド式電子部品の一実施形態にかかるスライド式スイッチ１の分解斜視図であり、図２は上面側から見た図、図３は下面側から見た図である。これらの図に示すようにスライド式スイッチ１は、ケース１０と、ケース１０内にスライド自在に収納される摺動型物２０と、ケース１０の上に設置される操作つまみ３０と、ケース１０の下側に設置されるフレキシブル基板４０及び取付板５０とを具備して構成されている。以下各構成部品について説明する。なお以下の説明において、スライド方向とは、図２及び図３に示すＡ方向（長手方向）、即ち下記するようにケース１０内で摺動型物２０がスライド移動する方向を意味する。
【００１６】
ケース１０は、略矩形状の金属平板からなる基部１９を具備し、そのスライド方向（長手方向）の両側部を下方向に折り曲げることで側壁１１，１１を形成すると共に、そのスライド方向の前後両端部を下方向に折り曲げることで側壁１２，１２を形成し、これによって下面が開いた略箱型に形成して構成されている。ケース１０の下面側の両側壁１１，１１と両側壁１２，１２とで囲まれる部分は、摺動型物２０がスライド自在に収納される収納部１４となっている。両側壁１１，１１の両端部近傍には、下方向に向かって四本の係合爪１３が設けられている。また両側壁１１，１１の下辺の中央部分には、これを矩形状に切り欠くことで切欠部１１ａ，１１ａが形成されている。またケース１０の基部１９中央には矩形状に貫通する開口部１５が設けられ、その内部にはクリックバネ部１６が設置されている。クリックバネ部１６は、開口部１５の内周辺に、その両端が接続されるとともにケース１０の基部１９と同一面内においてコ字状で細長い板状のアーム部１７を設け、このアーム部１７の途中（中央）部分に、このアーム部１７を下方向に湾曲させて形成される弾接部１８を設けて構成されている。
【００１７】
摺動型物２０は、略長方形の平板状の成型樹脂板によって構成されている。この摺動型物２０の外形寸法は、この摺動型物２０を前記ケース１０の収納部１４内に収納した際に収納部１４内においてスライド方向にスライド自在となる外形寸法に構成されている。そして摺動型物２０の上面には、前記ケース１０に設けた弾接部１８が係合する凹部からなるクリック係合部２１が複数個（図では４個）スライド方向に一列に並べて設けられている。また摺動型物２０のスライド方向の両側部２２，２２には、それぞれスライド方向に直線状に延びて外方（幅方向）に向かって突出する突起部２３が設けられている。突起部２３は、図２，図３の手前側の側部２２に同一直線状に二本、奥側の側部２２に直線状に一本設けられている。これら突起部２３は何れも図５に示すように、その上面が突起部２３の突出方向に向かって徐々に下方に下降するテーパ面からなる傾斜部２３ａとなっている。また、図３に示すように、摺動型物２０の下面には、弾性金属板製の摺動子２５が取り付けられている。摺動子２５には２本の摺動冊子２６,２６が設けられている。また、摺動型物２０の下面四隅には矩形状の小突起からなる脚部２４が設けられている。
【００１８】
操作つまみ３０は、成形樹脂を略矩形で前記ケース１０の上面を覆う寸法形状の平板状に形成してなる基部３６を具備し、そのスライド方向の両側辺を下方向に向かって折り曲げて側壁部３１，３１を形成することで、横断面略コ字状に形成されている。一方操作つまみ３０の基部３６中央には、突起からなる操作部３２が設けられている。前記両側壁部３１，３１には、前記摺動型物２０の両側部２２，２２に設けた各突起部２３をそれぞれ係合する係合部３３が設けられている。各係合部３３は、各突起部２３と略同一形状でスライド方向に直線状でスリット状の貫通孔として形成されている。また各係合部３３のスライド方向の前後には、側壁部３１をその下辺から上方向に向かって貫通して切り込んだ切込部３４が設けられ、これら切込部３４によって他の部分から仕切られた各係合部３３を設けた部分が、その上部の一辺を中心にして弾性を持って揺動する固定部３５を構成している。これら各固定部３５の下辺には、図５に示すように、その内側面に下方向に向かって固定部３５の厚みを薄くするように広がるテーパ面からなる傾斜部３５ａが形成されている。
【００１９】
フレキシブル基板４０は、可撓性のある合成樹脂フイルム(例えばポリエチレンテレフタレートフイルム)の表面にスライド方向に二列並ぶスイッチパターン４１を形成して構成されている。なお、図２ではスイッチパターン４１を形成したものを示したが、本発明はスイッチパターンには限られず、抵抗体パターンや他の導電パターン等を形成してもよい。一方フレキシブル基板４０の前記ケース１０の各係合爪１３に対向する位置には、係合爪１３が挿入されるスリット状の貫通穴からなる係合部４２が設けられている。
【００２０】
取付板５０は、金属板や成型樹脂板等の硬質板を矩形状に形成して構成されており、前記ケース１０の各係合爪１３に対向する位置には、係合爪１３が挿入される貫通穴からなる係合部５１が設けられている。
【００２１】
次にこのスライド式スイッチ１の組み立て手順を説明する。まず、ケース１０の収納部１４内に摺動型物２０をその下側から収納する。このときケース１０の両側壁１１，１１に設けた切欠部１１ａ，１１ａから、摺動型物２０の両側部２２，２２が露出し、これら両側部２２，２２に設けた突起部２３が切欠部１１ａ，１１ａから側壁１１，１１の両外側に突出した状態になる（図５参照）。
【００２２】
次に、摺動型物２０を収納したケース１０の下面側にフレキシブル基板４０と取付板５０とを配置し、このときケース１０の各係合爪１３を、フレキシブル基板４０の各係合部４２と取付板５０の各係合部５１とに差し込んで、取付板５０の下面に突出した各係合爪１３の先端部分を折り曲げることで、フレキシブル基板４０と取付板５０とをケース１０に一体に固定する。
【００２３】
そしてこの状態でケース１０の上側から操作つまみ３０を被せる。このとき、操作つまみ３０の側壁部３１，３１の内側の幅寸法と、ケース１０の側壁１１，１１の外側の幅寸法とは略等しく形成されているので、側壁部３１，３１と側壁１１，１１とは非常に接近した状態となる。
【００２４】
このとき前述のように、側壁部３１に設けた固定部３５はその厚みが薄く形成されていて弾性があり、且つ突起部２３の上面側には傾斜部２３ａが設けられ（図５参照）、固定部３５の下端辺の内側にも傾斜部３５ａが設けられているので（図５参照）、操作つまみ３０をケース１０に被せる途中で、両傾斜部２３ａ，３５ａが当接することで、スムーズに固定部３５が突起部２３に乗り上げて外側に撓んで広がった後、突起部２３が係合部３３にスナップイン係合する。これにより、操作つまみ３０と摺動型物２０とは互いに固定されて確実に外れなくなる。このように摺動型物２０と操作つまみ３０との固定手段が、摺動型物２０の側部２２に設けた突起部２３と操作つまみ３０の側壁部３１に設けた係合部３３とによるスナップイン係合構造なので、操作つまみ３０をケース１０の上側から被せるだけで両者間の固定が行われ、スライド式スイッチ１の組み立てが簡単に行える。また、スナップインなので一度組み立てた後は、操作つまみ３０が引っ張られたりしても、容易に外れてしまう恐れがない。以上によりスライド式スイッチ１が完成する。
【００２５】
図４は完成したスライド式スイッチ１をその上側から見た斜視図であり、図５はスライド式スイッチ１の概略断面図である。図５に示すようにスライド式スイッチ１は、摺動型物２０と、前記摺動型物２０をスライド自在に収納するケース１０と、ケース１０の上に設置され前記摺動型物２０と一体にスライド移動する操作つまみ３０とを備えたスライド式スイッチ１において、前記操作つまみ３０の両側に、前記ケース１０を跨ぐように側壁部３１，３１を設け、一方、前記ケース１０の両側壁１１，１１から前記摺動型物２０の両側部２２，２２を露出し、前記操作つまみ３０の両側壁部３１，３１を前記摺動型物２０の両側部２２，２２に固定することで操作つまみ３０を摺動型物２０に一体に固定して構成されている。このとき前記摺動型物２０の両側部２２，２２には突起部２３を設け、前記操作つまみ３０の両側壁部３１，３１には前記突起部２３が係合する係合部３３を設け、前記ケース１０の両側壁１１，１１に設けた切欠部１１ａ，１１ａから突出する前記突起部２３を、前記係合部３３にスナップイン係合することで、操作つまみ３０を摺動型物２０に一体に固定している。
【００２６】
このように、摺動型物２０と操作つまみ３０との固定部分がスライド式スイッチ１の両側部であるため、従来のように摺動型物２０の上面に操作つまみ３０を固定するための突起部等を設ける必要がなく、容易にスライド式スイッチ１の高さ寸法（厚み）の薄型化を図ることができる。また従来のように、摺動型物２０の上面に操作つまみ３０を固定するための突起部等を設ける必要がないため、たとえスライド式スイッチ１の上面にクリックバネ部１６とクリック係合部２１とからなるクリック機構部７０を設けても、スライド式スイッチ１の幅寸法の小型化が図れる。もちろんクリック機構部７０自体を設けないのであれば、さらにスライド式スイッチ１の幅寸法の小型化が図れる。
【００２７】
次にこのスライド式スイッチ１の動作を説明する。即ち図４において、操作つまみ３０をスライド方向（Ａ方向）に移動すると、操作つまみ３０と一体に固定されている摺動型物２０がケース１０内でスライド移動し、摺動子２５がスイッチパターン４１上を摺動してその出力（スイッチのオンオフ出力）が切り換わる。同時に、摺動型物２０がスライド移動することで、クリックバネ部１６の弾接部１８が摺動型物２０上面のクリック係合部２１（図２参照）に係合・離脱し、その度にクリック感覚を生じる。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態では、摺動型物２０に取り付けた摺動子２５がスイッチパターン４１上を摺動するスライド式スイッチ１を示したが、本願発明にかかるスライド式電子部品の構造は、摺動型物がスライド移動することで電気的出力が変化する構成であれば、上記構造のスライド式スイッチには限定されず、他のスライド式スイッチ、又はスライド型可変抵抗器等であってもよいし、その他の電気的機能部を備えたスライド式電子部品であってもよい。
【００２９】
また上記スライド式スイッチ１では、操作つまみ３０の両側壁部３１，３１と摺動型物２０の両側部２２，２２間を固定したが、一方の側壁部３１とこれに対向する一方の側部２２の一対のみの固定でも良い。また上記実施形態では操作つまみ３０の両側壁部３１，３１に設ける係合部３３を、貫通する穴によって構成したが、貫通しない両側壁部３１，３１の内側面に設ける溝によって構成してもよい。また、上記スライド式スイッチ１では、摺動型物２０に突起部２３を設け、操作つまみ３０に貫通穴又は溝からなる係合部３３を設ける場合を示したが、これとは逆に、操作つまみ３０に突起部を設け、摺動型物２０に突起部が係合する溝等からなる係合部を設けることでスナップイン係合構造とすることもできる。さらには、摺動型物２０と操作つまみ３０との固定手段は、スナップイン係合構造に限られるものではなく、熱カシメ等の他の固定手段でもよい。また、スイッチを形成する基板はフレキシブル基板に限定されず、硬質基板等で構成してもよい。
【図面の簡単な説明】
【００３０】
【図１】従来のスライド式スイッチ１００の概略断面図である。
【図２】本発明の一実施形態にかかるスライド式スイッチ１を上側から見た分解斜視図である。
【図３】本発明の一実施形態にかかるスライド式スイッチ１を下側から見た分解斜視図である。
【図４】スライド式スイッチ１の斜視図である。
【図５】スライド式スイッチ１の概略断面図である。
【符号の説明】
【００３１】
１              スライド式スイッチ
１０            ケース
１１，１１      側壁
１１ａ，１１ａ  切欠部
１２，１２      側壁
１３            係合爪
１４            収納部
１５            開口部
１６            クリックバネ部
１７            アーム部
１８            弾接部
１９            基部
２０            摺動型物
２１            クリック係合部
２２            側部
２３            突起部
２３ａ          傾斜部
２４            脚部
２５            摺動子
２６            摺動冊子
３０            操作つまみ
３１，３１      側壁部
３２            操作部
３３            係合部
３４            切込部
３５            固定部
３５ａ          傾斜部
３６            基部
４０            フレキシブル基板
４１            スイッチパターン
４２            係合部
５０            取付板
５１            係合部
７０            クリック機構部
【図１】
2005190707.tif 000003
【図２】
2005190707.tif 000004
【図３】
2005190707.tif 000005
【図４】
2005190707.tif 000006
【図５】
2005190707.tif 000007